(57)【要約】【課題】  コイルばねのピッチ調整を熟練者でなくても効率よく仕上げることができるようにする。【解決手段】  本発明のコイルばねのピッチ調整方法は、コイルばねを受け台の上に横向きに載せ、コイルばねを巻径方向側方から支持具で支持し、コイルばねの巻軸方向の一部の巻き空間に押し具を押し込んで当該空間を広げ、押し具の押込み長を調整することにより巻き空間の広がりを調整する方法である。本発明のコイルばねのピッチ調整装置は、コイルばねを横向きに載せることのできる受け台と、コイルばねを巻径方向側方から支持できる支持具と、コイルばねの巻軸方向一部の巻き空間に押し込むことのできる押し具を備えた装置である。【選択図】    図１
2019076908.tif 000002
【特許請求の範囲】
【請求項１】
コイルばねのピッチ調整方法において、
コイルばねを受け台の上に横向きに載せ、
前記コイルばねをその巻径方向側方から支持具で支持し、
前記コイルばねの巻軸方向の一部の巻き空間に押し具を押し込んで当該巻き空間を広げる、
ことを特徴とするコイルばねのピッチ調整方法。
【請求項２】
請求項１記載のコイルばねのピッチ調整方法において、
コイルばねを受け台の上で巻径方向に回転させて、押し具を押し込む巻き空間を変え、この作業を繰り返して、コイルばねの巻き空間の広がりを調整する、
ことを特徴とするコイルばねのピッチ調整方法。
【請求項３】
請求項１又は請求項２記載のコイルばねのピッチ調整方法において、
コイルばねの巻き空間の広がりを調整することによりコイルばねの全長をも調節する、
ことを特徴とするコイルばねのピッチ調整方法。
【請求項４】
請求項１から請求項３のいずれか１項に記載のコイルばねのピッチ調整方法において、
押し具の押込み長を制御することにより巻き空間の広がりを制御する、
ことを特徴とするコイルばねのピッチ調整方法。
【請求項５】
コイルばねのピッチ調整装置において、
コイルばねを横向きに載せることのできる受け台と、コイルばねの巻径方向側方から支持できる支持具と、コイルばねの巻軸方向一部の巻き空間に押し込むことのできる押し具を備え、
前記押し具は押し込む巻き空間側に先細りのテーパ状である、
ことを特徴とするコイルばねのピッチ調整装置。
【請求項６】
請求項５記載のコイルばねのピッチ調整装置において、
押し具がコイルばね側に前進、後退させる油圧ユニットを備えた、
ことを特徴とするコイルばねのピッチ調整装置。
【請求項７】
請求項５又は請求項６記載のコイルばねのピッチ調整装置において、
押し具の前進位置を検知する検知器を備えた、
ことを特徴とするコイルばねのピッチ調整装置。
【請求項８】
請求項５から請求項７のいずれか１項に記載のコイルばねのピッチ調整装置において、
受け具が上方開口の樋状であり、上方開口部の横幅がコイルばねを支持可能な広さである、
ことを特徴とするコイルばねのピッチ調整装置。
【発明の詳細な説明】
【技術分野】
【０００１】
本発明は、コイルばねの巻き間隔（ピッチ）調整方法と調整装置に関するものである。
【背景技術】
【０００２】
コイルばねは機械により自動的に巻かれる。通常は、ピッチを設計値よりも密に巻き、全長を設計値よりも短めに巻き、巻き終えてから、ピッチを設計値に合わせて調整し、全長を設計値に合わせている。
【０００３】
従来、コイルばねのピッチ調整に関する特許出願として特許文献１がある。
【先行技術文献】
【特許文献】
【０００４】
【特許文献１】再公表ＷＯ２０１６／２０８０３３
【発明の概要】
【発明が解決しようとする課題】
【０００５】
特許文献１の巻きピッチ加工具は、コイルばねの製造時にピッチ調整するものである。コイルばね製造後のピッチ調整は、通常、手作業で行われているため、作業者により調整速度、調整精度が異なることがある。一定のピッチに効率よく調整するには熟練を要する。
【課題を解決するための手段】
【０００６】
本発明は、コイルばね製造後のピッチ調整を、熟練者でなくても、効率よく仕上げることができるようにすることにある。
【０００７】
本発明のコイルばねのピッチ調整方法は、コイルばねを受け台の上に横向きに載せ、受け台の上のコイルばねを巻径方向側方から支持具で支持し、当該コイルばねの巻軸方向の一部の巻き空間に押し具を押し込み、押し具の押込み長を調整することにより巻き空間の広がりを調整する。この場合、コイルばねを受け台の上で巻径方向に回転させて押し具の押し込み箇所を変え、コイルばねを受け台の長手方向に移動させてコイルばねの巻軸方向の押し込み箇所を変えて、コイルばねのピッチを調整する方法である。
【０００８】
本発明のコイルばねのピッチ調整装置は、コイルばねを横向きに載せることのできる受け台と、受け台に載せたコイルばねを巻径方向側方から支持できる支持具と、コイルばねの巻軸方向一部の巻き空間に押し込むことのできる押し具を備えている。受け台は上方開口の樋状のものが好ましい。押し具は押し込む巻き空間側に先細りのテーパ状である。押し具は油圧ユニットでコイルばね側に前進後退可能である。押し具を前進後退駆動可能な油圧ユニットを備える。押し具の押込み方向にスイッチ或いはストッパ等の検知器を設けて押し具の押込み長を制御可能としてある。
【発明の効果】
【０００９】
本発明のコイルばねのピッチ調整方法は、次のような効果がある。
（１）押し具の押込み長を変えるだけで、ピッチ調整ができるため、未熟練者あっても、ピッチを設計通りに広げることができ、コイルばねのピッチの仕上がりにばらつきがでない。
（２）コイルばねを回転させてピッチ調整するため、コイルばねの巻径方向全体のピッチを均等に広げることができる。併せて、コイルばねの全長を設計値に合わせることもできる。
【００１０】
本発明のコイルばねのピッチ調整装置は次のような効果がある。
（１）コイルばねを支持具で支持しながら、押し具を押し込むだけでピッチ調整ができるので、調整作業が容易になる。
（２）油圧ユニットで押し具の押込み操作を行うことができるので、力の弱い作業者でも、調整作業を容易に行うことができる。
（３）支持具があるため、コイルばねを押し具で押してもコイルばねが安定し、押し具の押す力がコイルばねに確実に伝わり、押し込む力の無駄がない。
（４）制御部で押し具の押込み長を制御可能であるため、巻き空間を一定に広げることができる。
【図面の簡単な説明】
【００１１】
【図１】本発明のコイルばねのピッチ調整装置の一例を示す平面図であって、押し具を押し込む前の説明図。
【図２】本発明のコイルばねのピッチ調整装置の一例を示す平面図であって、押し具を押し込んだ状態の説明図。
【図３】本発明のコイルばねのピッチ調整装置の一例を示す側面図であって、コイルばねの回転説明図。
【図４】（ａ）〜（ｅ）は引きばねのフック形成説明図。
【発明を実施するための形態】
【００１２】
（コイルばねのピッチ調整装置の実施形態）
本発明のコイルばねのピッチ調整装置（以下「調整装置」という。）の一例を図１〜図３に基づいて説明する。図示した調整装置は汎用の油圧式万力を利用したものであり、コイルばね１を横向きに載せることのできる受け台２と、コイルばね１を側方から支持する支持具３と、コイルばね１の巻き空間５に押し込む押し具４を備えている
【００１３】
コイルばね１は線材が汎用の巻き方法で巻かれている。コイルばね１のピッチ、コイル径（巻径）、長さ等は任意である。
【００１４】
受け台２はコイルばね１を載せるものであり、一例として図示したものは、上方開口で横長の樋状である。受け台２の開口は、その上に載せたコイルばね１を巻軸方向に移動させることができ、巻径方向に回転させることのできる広さである。受け台２の長さ、上方開口部の広さ等は載せるコイルばね１の巻径、長さ等に合ったものを使用する。
【００１５】
支持具３はコイルばね１を巻径方向側方から支持するものであり、一例として図示したものは横長ブロック状であるが、他の形状、構造であってもよい。例えば、コイルばね１の線材を支持可能なＶ字状、Ｕ字状といった凹部を備えたものであってもよい。支持具３は作業台とか固定用の台等に取り付けて固定してある。支持具３の上面には目盛６を設けてあり、その目盛６にコイルばね１のピッチを合わせて、ピッチを確認することができるようにしてある。
【００１６】
押し具４はコイルばね１の巻軸方向一部の巻き空間５に押し込むものであり、押し込む巻き空間５側に向けて先細りのテーパ状である。押し具４は油圧ユニット７でコイルばね１側に前進、後退（引き戻し）可能としてある。押し具４には汎用の油圧式万力を利用することができる。
【００１７】
押し具４の前進方向には検知器がある。検知器にはスイッチ、例えばリミットスイッチＳＷとかストッパを使用することができる。リミットスイッチを設ける場合は、押し具４の前進、後退と連動して前進、後退する調整具９を設けて、押し具４が所定距離だけ前進すると、調整具９がリミットスイッチＳＷに接触して、当該スイッチＳＷからの検知信号により制御部８が作動し、その作動に伴って油圧ユニット７が作動して、押し具４の前進が自動的に停止し、コイルばね１の巻き空間５がそれ以上広がらないようにしてある。押し具４の停止後は制御部８の作動により、油圧ユニット７が作動して、押し具４が自動的に引き戻されるようにしてある。調整具９にはボルトを使用し、そのボルトを固定具１０に前進後退可能に取り付けておき、ボルトを回転させることにより、ボルトの先端とリミットスイッチＳＷの間の間隔Ｌ１を調整調節可能としてある。間隔Ｌ１を狭くすると押し具４の最大前進距離が小さくなって、押し具４の前進距離が短くなり、コイルばね１の巻き空間５の広がりが狭くなる。間隔Ｌ１を広くすると押し具４の最大前進距離が大きくなって、押し具４の前進距離が長くなり、コイルばね１の巻き空間５の広がりが広くなる。
【００１８】
（コイルばねのピッチ調整方法の実施形態）
本発明のコイルばねのピッチ調整方法（以下「調整方法」という。）の一例を、図１〜図３の調整装置を使用する場合を一例として説明する。
【００１９】
この実施形態の調整方法は、コイルばね１を樋状の受け台２の上に横向きに載せ、当該コイルばね１を巻径方向側方から支持具３で支持する。このコイルばね１の巻き空間５に押し具４を押し込んで巻き空間５を広げる。押し具４の押込み長を調整することにより巻き空間５の間隔を調整する。押し具４の押込み長の制御は検知器で行うことができる。検知器がリミットスイッチＳＷの場合は、押し具４が前進してリミットスイッチＳＷに接触すると、リミットスイッチＳＷからの信号で油圧ユニット７が、押し具４の前進を停止させてから引き戻すようにする。
【００２０】
一箇所の巻き空間５のピッチ調整が終えたらコイルばね１を受け台２の上で巻径方向に間欠回転させる。例えば、図３の矢印方向又は逆方向に回転させて、押し具４を押し込む巻き空間５の箇所を変える。例えば、図３のａ部分の間隔調整が終えたらｂ部分をａ部分の位置まで回転させ、ｂ部分の間隔調整が終えたらｃ部分をａ部分の位置まで回転させて、ａ部分で巻き空間５の間隔調整をする。更に、コイルばね１を巻軸方向に移動させて、前記と同様に巻径方向に回転させてａ、ｂ、ｃの各部分の巻き空間５の広さを調整する。この繰り返しによりコイルばね１の巻軸方向全長のピッチを設計値に合わせ、コイルばね１の巻軸方向全長の長さを設計値に合わせる。前記押し具４の押し込み及び戻しは油圧ユニット７で自動的に行い、油圧ユニット７の動作を制御部８で制御する。コイルばね１の回転、巻軸方向辺移動は作業者が手作業で行い、コイルばね１の一回の回転角度は任意の角度とすることができる。図３では１２０度ずつ間欠回転させて、ａ、ｂ、ｃの夫々の箇所で押し具４を押し込むようにしてある。
【００２１】
前記支持具３、押し具４には既存の油圧式万力を利用することができ、油圧ユニット７にも汎用のものを使用することができる。ピッチを設計値に合わせることにより、コイルばね１の全長を設計値に合わせることができる。
【００２２】
［引きばねのフック形成］
本発明におけるコイルばね１は、引きばね、圧縮ばね、その他のばねのいずれであってもよい。引きばねの場合は、図４（ｅ）のように、コイルばね１の巻軸方向端部にフック１１を備える。フック１１は例えば図４（ａ）〜（ｄ）の工程で形成することができる。
【００２３】
コイルばね１の巻軸方向外側から二番目の巻部１２の巻径方向の一部を支持具１３で支持し（図４（ａ））、その巻部１２の対向箇所を押し具１４で押して（図４（ｂ））、巻部１２の巻径を小さくして、最外側の巻部１５を巻径方向外側に押し出す（図４（ｃ））。この状態で、押し具１４を引き戻す（図４（ｄ））。前記最外側の巻部１５を外側に倒してフック１１を形成する。フック１１には半丸フック、丸フック、逆丸フック等の各種ある。本発明では、いずれの形状のフック１１でも形成することができる。
【００２４】
支持具１３、押し具１４の先端には平面視Ｖ字状、Ｕ字状、その他の形状の凹部１６を設けてある。その凹部１６をコイルばね１の巻部１２が収まる形状、大きさにして、巻部１２の支持が安定し、巻部１２の押しが安定するようにする。
【００２５】
押し具１４の前進方向先方には検知器がある。検知器にはスイッチ、例えばリミットスイッチとかストッパを使用することができる。リミットスイッチを使用する場合は、押し具１４の前進、後退と連動して前進、後退する調整具１７を設けて、押し具１４が所定距離だけ前進すると、調整具１７がリミットスイッチＳＷに接触して、当該スイッチＳＷからの検知信号により制御部８が作動し、その作動に伴って油圧ユニット７が作動して、押し具１４の前進が自動的に停止して、コイルばね１の巻部１２がそれ以上、押し具１４で押されないようにしてある。押し具１４の停止後は制御部８の作動により、油圧ユニット７が作動して、押し具１４が自動的に引き戻されるようにしてある。調整具１７にはボルトを使用し、そのボルトを固定具１８に前進後退可能に取り付けておき、ボルトを回転させることにより、ボルトの先端とリミットスイッチＳＷの間の間隔Ｌ２（図４（ａ））を調整調節可能としてある。間隔Ｌ２を狭くすると押し具１４の最大前進距離が短くなって、巻部１２の押しが少なくなり、最外側の巻部１５の巻径方向外側への押し出し長が少なくなる。間隔Ｌ２を広くすると押し具１４の最大前進距離が長くなって、巻部１２の押しが多くなり、最外側の巻部１５の巻径方向外側への押し出し長が大きくなる。
【符号の説明】
【００２６】
１    コイルばね
２    受け台
３    支持具
４    押し具
５    （コイルばねの）巻き空間
６    目盛
７    油圧ユニット
８    制御部
９    調整具
１０  固定具
１１  フック
１２  （外側二番目の）巻部
１３  支持具
１４  押し具
１５  （最外側の）巻部
１６  （支持具、押し具の）凹部
１７  調整具
１８  固定具
ＳＷ  リミットスイッチ（検知器）
【図１】
2019076908.tif 000003
【図２】
2019076908.tif 000004
【図３】
2019076908.tif 000005
【図４】
2019076908.tif 000006